(57)【要約】【課題】  湿気を遮断してスーツ等の衣類のプレス戻りが防止できるとともに、再利用も容易な衣類収納容器及びこれを用いた衣類収納方法を提供せんとする。【解決手段】  ハンガー付き衣類を吊り下げた状態に収納できる内部空間Ｓを備えた容器本体２と、該容器本体２の上端開口部に装着される蓋体３とより構成され、前記蓋体３の周縁部に、それぞれ容器本体２の開口部外周面及び内周面に沿って延びる内外二重の裾板１１１、１１２を垂設し、前記内部空間Ｓを挟んで対向する内側裾板１１１、１１１の間に、前記ハンガー付き衣類を吊り下げるためのハンガーバー４を架設した。容器本体２は有底の箱体構造よりなり、蓋体３の内外の裾板１１１、１１２間に形成される凹状空所にパッキングを嵌装した。【選択図】        図１５
2005169059.tif 000002
【特許請求の範囲】
【請求項１】
ハンガーバーを架設してハンガー付き衣類を吊り下げた状態に収納できる内部空間を備えた容器本体と、該容器本体の上端開口部に装着される蓋体とより構成される衣類収納容器であって、前記容器本体が有底の箱体構造よりなり、前記蓋体の周縁部に、それぞれ容器本体の開口部外周面及び内周面に沿って延びる内外二重の裾板を垂設し、且つ内外の裾板間に形成される凹状空所にパッキングを嵌装してなる衣類収納容器。
【請求項２】
ハンガー付き衣類を吊り下げた状態に収納できる内部空間を備えた容器本体と、該容器本体の上端開口部に装着される蓋体とより構成される衣類収納容器であって、前記蓋体の周縁部に、それぞれ容器本体の開口部外周面及び内周面に沿って延びる内外二重の裾板を垂設し、対向する内側裾板の間に、前記ハンガー付き衣類を吊り下げるためのハンガーバーを架設してなる衣類収納容器。
【請求項３】
前記蓋体が、天板とその周縁より垂下された側板を備えるとともに、該側板の下端部に、前記内外二重の裾板を有する枠部材を取り付けてなる請求項１又は２記載の衣類収納容器。
【請求項４】
前記枠部材の対向する内壁に、上方に延びる一対の支持材を設け、これら支持材の間に前記ハンガーバーを架設してなる請求項３記載の衣類収納容器。
【請求項５】
前記蓋体の天板又は側板の内面に、前記支持材の上端を係合支持する係合部を設けてなる請求項４記載の衣類収納容器。
【請求項６】
前記枠部材の上端面に前記側板の下端部を受け入れる凹状空所を設け、該枠部材の下端面に前記内外の裾板で形成される凹状空所を設けてなる請求項３〜５の何れか１項に記載の衣類収納容器。
【請求項７】
前記内外二重の裾板を周縁部の全周にわたって形成してなる請求項１〜６の何れか１項に記載の衣類収納容器。
【請求項８】
前記容器本体が有底の箱体構造よりなり、且つ内外の裾板間に形成される凹状空所にパッキングを嵌装してなる請求項２〜７の何れか１項に記載の衣類収納容器。
【請求項９】
前記枠部材の上端側及び下端側の凹状空所に、それぞれパッキングを嵌装してなる請求項６記載の衣類収納容器。
【請求項１０】
前記容器本体を、方形の底板と、該底板の各端辺より外方に傾斜して立設され、上端部に前記蓋体が装着される垂直な被着壁を有する側板とより構成してなる請求項１〜９の何れか１項に記載の衣類収納容器。
【請求項１１】
前記容器本体の開口部外周面に、装着される外側裾板の下端位置より下方に延びる補強リブを立設してなる請求項１〜１０の何れか１項に記載の衣類収納容器。
【請求項１２】
内外の裾板間に形成された凹状空所に容器本体の開口端が挿着した状態で当該蓋体を保持するための掛止部材を設けてなる請求項１〜１１の何れか１項に記載の衣類収納容器。
【請求項１３】
前記蓋体の外側裾板の外面と、前記容器本体における当該外側裾板の下端位置より下方の外面に、それぞれ横方向に沿った蟻溝を平行に形設し、前記掛止部材が、各蟻溝に係合する断面鳩尾状の突条片を上下に突設してなる請求項１２記載の衣類収納容器。
【請求項１４】
前記蓋体側板の外周面及び容器本体の外周面にそれぞれつば部を突設し、双方のつば部の間に係止され、前記枠部材の上端側及び下端側の凹状空所にそれぞれ蓋体側板の下端部及び容器本体の開口端が挿着した状態を保持する掛止部材を設けてなる請求項６又は９記載の衣類収納容器。
【請求項１５】
複数本のハンガーバーを平行に架設し、その離間距離を７ｃｍ〜２０ｃｍに設定してなる請求項１〜１４の何れか１項に記載の衣類収納容器。
【請求項１６】
前記ハンガーバーと天板下面との隙間に、吊り下げたハンガーの脱落を防止するための弾性部材を介装してなる請求項１〜１５の何れか１項に記載の衣類収納容器。
【請求項１７】
前記ハンガーバーと天板下面との隙間に、吊り下げたハンガーの脱落を防止するための断面視略円弧状の内周面を有する長尺なカバー部材を、前記ハンガーバー上部にわたって取り付けてなる請求項１〜１５の何れか１項に記載の衣類収納容器。
【請求項１８】
前記容器本体及び蓋体のうち少なくとも一方を、透明又は半透明の合成樹脂を用いて成形してなる請求項１〜１７の何れか１項に記載の衣類収納容器。
【請求項１９】
請求項１〜１８の何れか１項に記載の衣類収納容器を用いた衣類収納方法であって、前記蓋体を下方に衣類吊下げ空間を維持した状態で保持し、該蓋体の対向する内側裾板の間に架設されたハンガーバーにハンガー付き衣類を吊り下げた後、下側から容器本体を上端開口部にこれら衣類を挿通させつつ上方に移動させ、内外の裾板間に形成された凹状空所に当該容器本体の開口端を挿着してなる衣類収納方法。
【請求項２０】
前記蓋体の天板の四隅近傍にそれぞれ有底の凹陥部を形成するとともに、これら凹陥部の開口部にフックを掛止するための掛止杆を渡設し、前記掛止杆にそれぞれ吊り下げ用のフックを掛止させることで当該蓋体を吊り下げ、これにより下方に衣類吊り下げ空間を維持した状態で蓋体を保持してなる請求項１９記載の衣類収納方法。
【発明の詳細な説明】
【技術分野】
【０００１】
本発明は、ハンガー付き衣類を吊り下げた状態に収納する衣類収納容器及び衣類収納方法に関する。
【背景技術】
【０００２】
この種の容器は、従来、段ボール製の収納容器が広く使用されており、例えば上方開口状縦型のケース本体と、段ボール製の蓋体と、両端部に突片を有するハンガー吊り下げ用の横杆と、を備え、更に、ケース本体の左右側壁の上端縁に受部を設け、横杆の突片を受部に引っ掛けて横杆をケース本体に着脱自在に取り付けるものも提案されている（例えば、特許文献１参照。）。
【０００３】
しかし、６月から１０月にかけての特に湿気の多い梅雨時には、段ボール製の容器の隙間、例えば取っ手部分や本体と蓋との隙間等から湿気が大量に侵入し、衣類の型がとれてしまう所謂「プレス戻り」が発生し、各店舗に配送する前に検品ならびに再プレスを行う必要が生じていた。したがって、例えば海外で生産されたスーツは日本に輸入されてから、再プレスしているが、プレス代は一着当り２００〜３００円掛かり、約１０００着入る２０フィートのコンテナ一つ当たりのプレス代は２０万円以上となっており、費用の問題以外にも、流通に関して上記プレス戻りのために検品作業が必須となっており、直接販売店に納品することができないため納期遅れも多々発生していた。
【０００４】
また、このような段ボール製の容器は搬送完了後に折りたたんで工場に返却することができるが、上述のように湿気を吸った段ボール紙は、糊付け部分が剥がれてきたり紙自体が柔らかくなって破損しやすく、実際には再利用ができない状況であり、コスト削減にも一定の限界があった。
【０００５】
【特許文献１】登録実用新案第３０３４９７６号公報
【発明の開示】
【発明が解決しようとする課題】
【０００６】
そこで、本発明が前述の状況に鑑み、解決しようとするところは、湿気を遮断してスーツ等の衣類のプレス戻りが防止できるとともに、再利用も容易な衣類収納容器及びこれを用いた衣類収納方法を提供する点にある。
【課題を解決するための手段】
【０００７】
本発明は、前述の課題解決のために、ハンガーバーを架設してハンガー付き衣類を吊り下げた状態に収納できる内部空間を備えた容器本体と、該容器本体の上端開口部に装着される蓋体とより構成される衣類収納容器であって、前記容器本体が有底の箱体構造よりなり、前記蓋体の周縁部に、それぞれ容器本体の開口部外周面及び内周面に沿って延びる内外二重の裾板を垂設し、且つ内外の裾板間に形成される凹状空所にパッキングを嵌装してなる衣類収納容器を構成した。
【０００８】
また、ハンガー付き衣類を吊り下げた状態に収納できる内部空間を備えた容器本体と、該容器本体の上端開口部に装着される蓋体とより構成される衣類収納容器であって、前記蓋体の周縁部に、それぞれ容器本体の開口部外周面及び内周面に沿って延びる内外二重の裾板を垂設し、対向する内側裾板の間に、前記ハンガー付き衣類を吊り下げるためのハンガーバーを架設してなる衣類収納容器を構成した。
【０００９】
ここで、前記蓋体が、天板とその周縁より垂下された側板を備えるとともに、該側板の下端部に、前記内外二重の裾板を有する枠部材を取り付けてなるものが好ましい。
【００１０】
また、前記枠部材の対向する内壁に、上方に延びる一対の支持材を設け、これら支持材の間に前記ハンガーバーを架設してなるものが好ましく、更に、蓋体の天板又は側板の内面に、前記支持材の上端を係合支持する係合部を設けてなるものが好ましい。
【００１１】
更に、前記枠部材の上端面に前記側板の下端部を受け入れる凹状空所を設け、該枠部材の下端面に前記内外の裾板で形成される凹状空所を設けてなるものが好ましい。
【００１２】
また、前記内外二重の裾板を周縁部の全周にわたって形成することが好ましく、また、前記容器本体が有底の箱体構造よりなり、且つ内外の裾板間に形成される凹状空所にパッキングを嵌装してなるものが好ましい。
【００１３】
そして、前記枠部材の上端側及び下端側の凹状空所に、それぞれパッキングを嵌装してなるものが好ましい。
【００１４】
更に、前記容器本体を、方形の底板と、該底板の各端辺より外方に傾斜して立設され、上端部に前記蓋体が装着される垂直な被着壁を有する側板とより構成してなるものが好ましい実施例である。
【００１５】
また、前記容器本体の開口部外周面に、装着される外側裾板の下端位置より下方に延びる補強リブを立設してなるものが好ましい。
【００１６】
また、内外の裾板間に形成された凹状空所に容器本体の開口端が挿着した状態で当該蓋体を保持するための掛止部材を設けてなるものが好ましく、具体的には、前記蓋体の外側裾板の外面と、前記容器本体における当該外側裾板の下端位置より下方の外面に、それぞれ横方向に沿った蟻溝を平行に形設し、前記掛止部材が、各蟻溝に係合する断面鳩尾状の突条片を上下に突設してなるものが好ましい。
【００１７】
或いは、前記蓋体側板の外周面及び容器本体の外周面にそれぞれつば部を突設し、双方のつば部の間に係止され、前記枠部材の上端側及び下端側の凹状空所にそれぞれ蓋体側板の下端部及び容器本体の開口端が挿着した状態を保持する掛止部材を設けてなるものが好ましい。
【００１８】
また、複数本のハンガーバーを平行に架設し、その離間距離を７ｃｍ〜２０ｃｍに設定してなるものが好ましい。
【００１９】
また、前記ハンガーバーと天板下面との隙間に、吊り下げたハンガーの脱落を防止するための弾性部材を介装してなるものが好ましく、また、前記ハンガーバーと天板下面との隙間に、吊り下げたハンガーの脱落を防止するための断面視略円弧状の内周面を有する長尺なカバー部材を、前記ハンガーバー上部にわたって取り付けてなるものも好ましい。
【００２０】
前記容器本体及び蓋体のうち少なくとも一方を、透明又は半透明の合成樹脂を用いて成形してなるものが好ましい。
【００２１】
また、本発明は、これら衣類収納容器を用いた衣類収納方法であって、前記蓋体を下方に衣類吊下げ空間を維持した状態で保持し、該蓋体の対向する内側裾板の間に架設されたハンガーバーにハンガー付き衣類を吊り下げた後、下側から容器本体を上端開口部にこれら衣類を挿通させつつ上方に移動させ、内外の裾板間に形成された凹状空所に当該容器本体の開口端を挿着してなる衣類収納方法をも提供する。特に、前記蓋体の天板の四隅近傍にそれぞれ有底の凹陥部を形成するとともに、これら凹陥部の開口部にフックを掛止するための掛止杆を渡設し、前記掛止杆にそれぞれ吊り下げ用のフックを掛止させることで当該蓋体を吊り下げ、これにより下方に衣類吊り下げ空間を維持した状態で蓋体を保持してなる方法が好ましい。
【発明の効果】
【００２２】
以上にしてなる本願発明に係る衣料収納容器は、二重の裾板間に形成される凹状空所に容器本体の開口端が挿着され、内部空間への湿気の侵入を防止してスーツ等の衣類のプレス戻りを防止でき、また内側裾板を利用してハンガーバーを架設すればハンガーの脱着が容易となるとともに工場へ返却する際にもバーを蓋体と一体として返却でき、管理も容易となる。
【００２３】
また、蓋体が、天板とその周縁より垂下された側板を備えるとともに、該側板の下端部に、前記内外二重の裾板を有する枠部材を取り付けてなるので、枠部材にハンガーを取り付けた後に天板と側板からなる蓋を取り付けることができ、作業性が向上する。
【００２４】
特に、前記枠部材の対向する内壁に、上方に延びる一対の支持材を設け、この支持材の間にハンガーバーを架設したので、前記天板と側板からなる蓋の内部空間を利用して衣類を効率よく収納することができ、例えばスーツ等の場合に幅を肩部分が容器本体の開口部付近に位置することとなり、効率よく収納することが可能となるのであり、更に、蓋体の天板又は側板の内面に、前記支持材の上端を係合支持する係合部を設けたので、支持強度が向上し、衣類等を安定して保持することができる。
【００２５】
この枠部材の上端面には、蓋体の側板の下端部を受け入れる凹状空所を設け、該枠部材の下端面に前記内外の裾板で形成される凹状空所を設け、より好ましくはパッキングが嵌装されるので、側板下端部からの湿気の侵入も確実に防止できる。
【００２６】
また、内外二重の裾板を周縁部の全周にわたって形成したので、周囲から内部空間への湿気の侵入をより確実に防止できるとともに、これら裾板がそれぞれ環状に構成されることで衣類の荷重が作用するハンガーバーを支持している内側裾板の支持強度が高められ、且つ蓋体全体の高い強度も維持できる。
【００２７】
また、容器本体が有底の箱体構造よりなり、且つ内外の裾板間に形成される凹状空所にパッキングを嵌装したので、湿気を確実に遮断できる。
【００２８】
また、容器本体を、方形の底板と、該底板の各端辺より外方に傾斜して立設され、上端部に前記蓋体が装着される垂直な被着壁を有する側板とより構成したので、衣料の搬送が済んだ後に当該容器を工場へ返却する際、容器本体を上下に複数重ねて効率よく運搬することができる。
【００２９】
また、容器本体の開口部外周面に、装着される外側裾板の下端位置より下方に延びる補強リブを立設したので、ハンガー付き衣類が掛けられた蓋体を支持する容器本体の開口部に十分な強度を付与できる。
【００３０】
また、内外の裾板間に形成された凹状空所に容器本体の開口端が挿着した状態で当該蓋体を保持するための掛止部材を設けたので、該掛止部材により蓋体を強固に密着保持でき、より詳しくは、前記蓋体側板の外周面及び容器本体の外周面にそれぞれつば部を突設し、双方のつば部の間に係止され、前記枠部材の上端側及び下端側の凹状空所にそれぞれ蓋体側板の下端部及び容器本体の開口端が挿着した状態を保持する掛止部材を設けたので、強固に密着させた状態に保持できる。
【００３１】
また、内側裾板の間に複数本のハンガーバーを平行に架設し、その離間距離を７ｃｍ〜２０ｃｍに設定したので、ハンガーが平面視で湾曲していることを利用して湾曲凹部に相手の端部を受け入れるように配置することにより、内部空間の幅を前記距離だけ拡大しただけで、１本のハンガーバーに密接してハンガーを取り付ける場合に比べ、約１．３倍から２倍近くの数のハンガー付き衣類を効率よく収納できる。
【００３２】
また、前記ハンガーバーと天板下面との隙間に、吊り下げたハンガーの脱落を防止するための弾性部材を介装したり、または、同じく前記ハンガーバーと天板下面との隙間に、吊り下げたハンガーの脱落を防止するための弾性部材を介装したり、または、同じくハンガーバーと天板下面との隙間に、吊り下げたハンガーの脱落を防止するための断面視略円弧状の内周面を有する長尺なカバー部材を、前記ハンガーバー上部にわたって取り付けたので、ハンガー付き衣類の落下を確実に防止できる。
【００３３】
また、容器本体及び蓋体のうち少なくとも一方を、透明又は半透明の合成樹脂を用いて成形したので、万一ハンガー付き衣類が落下したことを把握でき、例えば店舗等に配送する前に落下した衣類について再プレス等の処理を行うことができる。
【００３４】
また、本発明の衣類収納方法によれば、効率よくハンガー付き衣類を収納することができる。
【発明を実施するための最良の形態】
【００３５】
次に、本発明の実施形態を添付図面に基づき詳細に説明する。
【００３６】
図１は、本発明に係る衣類収納容器の全体構成を示す図であり、図１〜１４は第１実施形態、図１５〜１８は第２実施形態を示し、図中符号１は衣類収納容器、２は容器本体、３は蓋体、４はハンガーバーをそれぞれ示している。
【００３７】
先ず、図１〜１４に基づき、第１実施形態を説明する。
【００３８】
本発明に係る衣類収納容器１は、ハンガー付き衣類を吊り下げた状態に収納できる内部空間Ｓを備えた容器本体２と、該容器本体２の上端開口部２０に装着される蓋体３とより構成され、前記蓋体３の天板周縁部３０ａに、図４に示すようにそれぞれ容器本体２の開口部外周面２０ａ及び内周面２０ｂに沿って延びる内外二重の裾板３１、３２を垂設し、前記内部空間Ｓを挟んで対向する内側裾板３２、３２の間に、前記ハンガー付き衣類を吊り下げるためのハンガーバー４を架設したものである。
【００３９】
前記蓋体３は、吊り下げる衣料の種類にもよるが、例えば紳士のスーツを対象とした本例の場合、ハンガーバーに直角な縦寸法が６０ｃｍ、ハンガーバーに平行な横寸法が５７ｃｍ、肉厚３．５ｍｍの平面視矩形状に設定されており、二重の裾板３１、３２間に形成された凹状空所３３に容器本体２の開口端２０ｃを挿着する構造により、湿気の侵入を防止しつつ内側裾板３２によりハンガーバー４を支持することを可能としたものである。
【００４０】
本実施形態では二重の裾板３１、３２が天板周縁部の全周にわたって形成されており、これにより周囲から内部空間への湿気の侵入をより確実に防止できるとともに、これら裾板３１、３２がそれぞれ環状に構成されることで衣類の荷重が作用するハンガーバー４を支持している内側裾板３２の支持強度が高められ、且つ蓋体３全体の高い強度も維持されることになり、本例では約３０ｋｇの荷重に十分耐え、本衣類収納容器１を衣類収納状態で問題なく上下に積み重ねることができ、また、蓋体３の撓みに起因する湿気の侵入を未然に防止できるのである。尚、本発明はこのように裾板３１、３２を全周にわたって連続形成するものに何ら限定されず、例えば内側裾板３２は、ハンガーバー４を架設するための対向する位置に少なくとも一対あればよい。また、外側裾板３１を天板周縁部に沿って断続的に設けることも可能である。
【００４１】
また、前記容器本体２の開口端２０ｃが挿着される凹状空所３３には、予め無端状のパッキング３４が嵌装されており、開口端２０ｃと裾板３１、３２との隙間からの湿気の侵入を確実に防止している。パッキング３４は合成ゴムやポリエステル系或いはポリ塩化ビニル系の熱可塑性エラストマー等の従来からの防湿パッキンを用いることができ、本例のように凹状空所３３に予め設けておく構造以外に、開口端２０ｃに嵌着されたものでもよく、また、全周でなく一部に設けることも可能である。更に、上記パッキングは必ずしも必要ではなく、例えば、裾板３１、３２をそれぞれ開口部外周面２０ａ及び内周面２０ｂに密着するように構成するなどして上記パッキングを省略することも好ましい。
【００４２】
ハンガーバー４は、対向する内側裾板３２、３２の間に２本平行に架設されており、各バーにおける横断面視半円状に形成されたバー本体４０の上部には、長手方向に沿って所定間隔おきに複数の鉤状フック４１が突設され、吊り下げたハンガー付き衣類が搬送時の振動等により横ずれしたり落下したりしないように、各フック４１でハンガーを係止するように構成されている。各フック４１上端と天板３０下面との間には、約２０ｍｍの隙間が設定されており、この隙間に後述するスポンジ等の弾性部材が介装されることになる。尚、フック４１を省略し、スポンジ等の弾性部材をその分厚く設定することにより、当該弾性部材のみでハンガー自体をバー上部に押下してハンガーの横ずれや落下を防止してもよい。
【００４３】
また、変形例として図１１に示すように、ハンガーバー４の同じく横断面視半円状に形成されたバー本体４０の上部に、長手方向に沿って所定間隔おきに複数の棒状突起４２を突設し、該棒状突起４２により吊り下げたハンガー付き衣類の横ずれを防止するとともに、該ハンガーバー４と天板３０の下面との隙間に、吊り下げたハンガーの脱落を防止するための断面視略円弧状の内周面７０を有する長尺なカバー部材７を、前記ハンガーバー４上部にわたって取り付け、該カバー部材７により吊り下げたハンガーの脱落を防止するものも好ましい実施例である。棒状突起４２の少なくとも一つには、先端が傘状に側方へ膨出した係止部４３が形成されており、カバー部材７の各棒状突起４２に対応する位置にはそれぞれ長孔７１が穿設され、特に前記係止部４３に対応する長孔７１には、一端側に前記係止部４３を挿通できる膨出溝部７２が形成され、各長孔７１に棒状突起４２を挿通した状態でカバー部材７全体を長手方向に移動させることで、前記膨出溝部７２を貫通した係止部４３がカバー部材７の外周面上に移動し、これによりカバー部材７がハンガーバー４に対して係止されることになる。係止されたカバー部材７の移動方向基端側には、移動した分の隙間が生じるが、該隙間に略Ｕ字状のスペーサ部材７３を装着することでカバー部材７の逆移動が阻止され、これによりカバー部材７がハンガーバー４上に安定保持されることになる。
【００４４】
２本のハンガーバー４、４の離間距離ｄは、ハンガーの片側の肩部長さより短い７ｃｍ〜２０ｃｍ、本例では約１２ｃｍに設定されている。ハンガーを互いに真横に付けた場合、肩部の２倍以上の離間距離がないと衣類の肩同士が当たってしまうが、本実施形態では斜めにずれた位置にそれぞれハンガーを取り付けることを前提に上記距離ｄを設定したものであり、図７に示すように、ハンガー９０が平面視で湾曲していることを利用して湾曲凹部に相手の端部を受け入れるように配置することにより、内部空間Ｓの幅が前記距離ｄだけ広くなっただけで、１本のハンガーバーに密接してハンガーを取り付ける場合に比べ、約１．３倍から２倍近くの数のハンガー付き衣類を効率よく収納できることが分かる。尚、本発明はこのようなハンガーバーの配置に限定されず、例えばハンガーバーを１本のみ設けたり、３本以上設けてもよい。また、本例ではハンガーバー４の両端部を内側裾板３２に固着しているが、例えばバー両端部を内側裾板３２に設けた係止部に対して着脱自在に取り付けるものも好ましい実施例であり、一体成形してもよい。
【００４５】
蓋体３は、透明又は半透明の合成樹脂を用いて成形され、外部から容器内部が良く見え、衣料の落下を容易に把握できるように構成されている。この蓋体３は運送中の衝撃による割れを防止するため、ある程度曲がりに強い樹脂を用いることが好ましく、具体的にはＡＢＳ樹脂やポリエチレン樹脂、ポリプロピレン樹脂、ポリメタクリル酸メチル樹脂等が用いられる。尚、裾板３１、３２やハンガーバー４は透明或いは半透明以外であってもよく、二色成形又は別体形成して接着してもよい。
【００４６】
図８は、天板３０と二重の裾板３１、３２とを別体構成したのち接着により一体化した変形例を示している。ここで、別体構成された前記天板３０と二重の裾板３１、３２を有する環状部材とを着脱自在に構成すれば、ハンガー付き衣料をハンガーバーに吊り下げた後に、後述のスポンジ等の弾性部材を下面に付設した天板３０を上側から装着することが可能となり、前記スポンジ等の装着作業がより容易となる。この場合、天板３０と裾板３１、３２を有する環状部材との間にもパッキングを設けることが好ましく、更に、天板３０に前記環状部材との嵌合構造を設けるとともに、後述の掛止部材５に係合する係合部を設け、該掛止部材５により裾板３１、３２を有する環状部材とともに該天板３０を開口部側に引き付けて装着する構造が好ましい。
【００４７】
容器本体２は、方形の底板２２と、該底板の各端辺より外方に傾斜して立設された側板２１、・・・とより構成された有底の箱体であり、各側板２１の上端部には、前記蓋体３を着脱自在に装着するための垂直な被着壁２１Ａが設けられ、その開口部は、上記蓋体３に対応する寸法を有する矩形状であり、高さは収納する衣料の種類によって異なるが、紳士のスーツを対象とした本例の場合は約１ｍに設定され、肉厚は３．５ｍｍ、底板２２の寸法は縦５０ｃｍ、横４７ｃｍに設定されている。
また、前記被着壁２１Ａにおける開口部外周面２０ａに装着される上述の外側裾板３１の下端より下方の位置には、上下方向に延びる補強リブ２３が開口部の周囲に沿って複数立設されており、これら補強リブ２３によりハンガー付き衣料が掛けられた蓋体３を支持する容器本体２の開口部に十分な強度が付与されている。
【００４８】
また、同じく四方の被着壁２１Ａには、それぞれ蓋体３の外側裾板３１に形成された係合突部５０に係合して当該蓋体３を引き寄せ掛止するための掛止部材５が設けられており、これにより容器本体２の開口端２０ｃを凹状空所３３に挿着した状態で当該蓋体３が開口部２０に保持されることになる。
尚、本例では容器本体２側に掛止部材５を設け、係合突部５０を蓋体３側に設けたが、容器本体２に係合部を設けて蓋体３側に同様の掛止部材を設けてもよく、また、掛止部材５は蓋体側に形成した凹溝に係止されるものであってもよく、掛止部材以外にゴムバンド等で蓋体３を開口部２０に保持させてもよく、このような掛止部材等の蓋体保持手段を省略することも可能である。
【００４９】
また、他の例として、図１２及び図１３に示すように、蓋体３の外側裾板３１の外面３１ａと、前記容器本体２における前記蓋体外側裾板３１の下端位置より下方の外面２０ｄに、それぞれ横方向に沿った蟻溝３５、２４が平行に形設されるとともに、前記掛止部材５は、各蟻溝３５、２４に係合する断面鳩尾状の突条片５１、５２を上下に突設して構成されるものも好ましい例である。このような構造によれば、容器本体２の開口端２０ｃを凹状空所３３に挿着した状態で各蟻溝３５、２４に対して側方から掛止部材５を挿入することで、蓋体３が容器本体開口部に簡単に保持されることになる。図示した例では蟻溝３５、２４が全周に沿って形成されており、前記掛止部材５は各辺に二つ以上挿着することが好ましいが、その数は限定されず、また、蟻溝３５、２４は少なくとも掛止部材５を挿入する端部が開口しておれば、何ら全周に設ける必要もなく一部分に形成してもよく、対向する二辺のみに形成することも好ましい。
【００５０】
本実施形態の容器本体２は、傾斜した側板２１に沿って底板２２に向けて収納空間Ｓが次第に小さくなるテーパー形状を有しており、これにより図１０に示すように、衣料の搬送が済んだ後に当該容器を工場へ返却する際、容器本体２を上下に複数重ねて効率よく運搬することができるのである。本例では上記寸法関係により、リブ下端２３ｄが下側の容器本体２の開口端２０ｃに係止されて重ねられ、互いの側板２１同士ができるだけ密着しないようにして取り外し容易となるように設定されているが、このような寸法関係に限らず、補強リブ２３に当たる前に側板２１同士が密着するように設定してもよい。
【００５１】
容器本体２は上述の蓋体３と同様、透明又は半透明で曲げに強いＡＢＳ樹脂やポリエチレン樹脂、ポリプロピレン樹脂、ポリメタクリル酸メチル樹脂等の合成樹脂で一体成形されており、側板２１には、取っ手として機能する図示しない凹部が成形されている。尚、底板２２は方形以外の形状であってもよく、側板２１は曲面で構成してもよい。また、側板２１を傾斜させずに垂直に構成してもよく、合成樹脂で成形する代わりに、折りたたみ可能な段ボール紙等で構成してもよい。更に、透明又は半透明以外であってもよく、その場合、一部透明なのぞき窓を設けてもよい。その他、側板２１に衣類出入れ用の開閉扉を設けることや、底板２２の下面に搬送用の車輪を設けることも可能であり、底板２２自体を省略することも可能である。
【００５２】
また、以上の実施形態では、内側裾板３２、３２の間にハンガーバー４が架設されているが、本発明はこれに限定されず、容器本体内壁にハンガーバーを係止する係止部を設けて当該内壁間にハンガーバーを着脱自在に架設したものであってもよく、また一体成形したものであってもよい。
【００５３】
次に、図９に基づいて衣類収納容器１を用いた本発明に係る衣類収納方法について説明する。
【００５４】
まず、上記蓋体３を下方に衣類吊下げ空間を維持した状態で保持し、該蓋体３の対向する内側裾板３２、３２の間に架設されたハンガーバー４、４に、それぞれハンガー付き衣類９、・・・を吊り下げる。尚、必ずしも必要ではないが、図示しているようにハンガーの隙間に単又は複数の乾燥剤７を吊り下げることが好ましい実施例である。
【００５５】
吊り下げが完了すると、前記ハンガーバー４と天板下面との隙間に、吊り下げたハンガーの脱落を防止するための弾性部材６を挿着する。弾性部材６はゴム発泡体や軟質の発泡ポリウレタン等からなるクッション材であり、省略することも可能である。尚、上述したように前記弾性部材６の代わりに、ハンガーバーの棒状突起４２に対してカバー部材７を装着することもできる。この場合、カバー部材７の上に更に弾性部材を介装させることも可能であり、これにより吊り下げた衣類をより安定化させることが可能である。
【００５６】
そして、上端開口部にこれら衣類を挿通させつつ下側から容器本体２を上方に移動させ、内外の裾板３１、３２間に形成された凹状空所に当該容器本体の開口端を挿着した状態で、掛止部材５を係合突部５０に係止し、下方に引き付けて蓋体３を開口部に保持させる。これにより容器本体２と蓋体３が一体化され、前記凹状空所に介装されているパッキングにより湿気の侵入も確実に防止されている。
【００５７】
尚、図１２及び図１３に示すように、蓋体３の天板３０の四隅近傍にそれぞれ有底の凹陥部３６を形成するとともに、これら凹陥部３６の開口部にフックを掛止するための掛止杆３７を渡設した構造とし、衣類を収納する際には、図１４に示すように、二本の縦杆の間に支持棒８０を架設した支持装置８を用意し、該支持棒８０に掛止されるフック８１の下端から四方に延びた各ワイヤー８２の先端に取り付けられたフック８３に、蓋体３の前記掛止杆３７を掛止することで当該蓋体を吊り下げ、これにより下方に衣類吊り下げ空間を維持した状態で蓋体を保持してなるものも好ましい実施例である。
【００５８】
次に、図１５〜１８に基づき、第２実施形態を説明する。
【００５９】
本実施形態の衣類収納容器１は、上述の第１実施形態と同様、ハンガー付き衣類を吊り下げた状態に収納できる内部空間Ｓを備えた容器本体２と、該容器本体２の上端開口部に装着される蓋体３とより構成されているが、特に、前記蓋体３は、天板１３１とその周縁より垂下された側板１３２を備えるとともに、該側板１３２の下端部１３４に、容器本体２の開口部外周面及び内周面に沿って延びる内外二重の裾板１１１、１１２を有する枠部材１１０が取り付けられている。
【００６０】
前記枠部材１１０は、より詳しくは、上端面に前記側板１３２の下端部１３４を受け入れる凹状空所１１３が設けられており、且つ、下端面に前記内外の裾板１１１、１１２で形成される凹状空所１１６が設けられており、全体として断面視略Ｈ字形状に構成された環状の部材であり、さらに、その内周側には上方から後述の支持材１４１の下端部１４３を受け入れて支持するための支持孔１１５が穿設されている。
【００６１】
上端側及び下端側の前記凹状空所１１３、１１６には、それぞれ無端状のパッキング１５２、１５０が予め嵌装されており、下端部１３４と凹状空所１１３との隙間、開口端１２０と凹状空所１１６との隙間からの湿気の侵入を確実に防止している。
【００６２】
枠部材１１０の対向する内壁には、上方に延びる一対の支持材１４１、１４１が設けられており、これら支持材１４１、１４１の間に第１実施形態と同様のハンガーバー４、４が架設されている。
本実施形態では、板状の支持材１４１、１４１間にハンガーバー４を架設してなるハンガーバー装置１４０を、各支持材の下端部１４３を前記枠部材１１０に設けられた支持孔１１５に挿着することにより着脱自在に構成したものであるが、本発明はこれに何ら限定されず、例えば支持材１４１を枠部材１１０と一体に成形することも可能であり、また、各ハンガーバー４毎にそれを支持する支持材をそれぞれ設けてもよい。
【００６３】
このような支持材１４１、１４１の間にハンガーバーを架設することにより、蓋体３の内部空間と容器本体２の内部空間をそれぞれ利用して衣類等を効率よく収納することが可能となり、また、これら枠部材１１０とハンガーバー装置１４０とから構成される中間体１１０を容器本体２の開口端１２０に載置した状態で、開口端１２０から上方に突出したハンガーバー装置１４０のハンガーバー４に衣類付きハンガーを容易に掛けることができ、その後に天板１３１と側板１３２からなる蓋材１３０を取り付けることで作業性を著しく向上することが可能となるのである。
【００６４】
また、本実施形態では、容器本体２のみならず蓋材１３０もその側板１３２を天板１３１に向けて収納空間が次第に小さくなる、すなわち開口端側に向けて次第に拡大するテーパー形状を有しており、これにより当該蓋材１３０も、衣料の搬送が済んで工場へ返却する際、上下に複数重ねて効率よく運搬することができるように構成されている。
【００６５】
そして、蓋材１３０内部にも収納空間が形成される本実施形態の衣類収納容器では、ハンガーバー４に吊り下げられた衣類等の肩の位置が蓋材１３０の開口部付近に位置することとなるため、容器本体２の開口端及び蓋材１３０の開口端の寸法はそれぞれ上述の第１実施形態に比べて小さく設定することができ、全体のサイズのコンパクト化により運搬効率がより向上することになる。
【００６６】
天板１３１の下面側には、前記支持材１４１の上端１４２を係合支持する係合部１３６が設けられており、蓋材１３０を取り付けることにより支持材１４１の上端が前記係合部１３６に支持され、衣類等を吊り下げた状態におけるハンガーバー４の移動を防止し、支持材１４１の破損等も未然に回避される。
【００６７】
蓋材１３０の側板１３２外周面及び容器本体２の外周面には、それぞれ断面視鳩尾形状のつば部１３５、１２１が突設されており、切欠部１３７、１２２を通じて双方のつば部の間に係止され、前記枠部材１１０の上端側及び下端側の凹状空所１１３、１１６にそれぞれ蓋体側板の下端部１３４及び容器本体２の開口端１３０が挿着された状態で保持する掛止部材１６０が設けられている。
【００６８】
蓋体３や容器本体２は、第１実施形態と同様、透明又は半透明で曲げに強いＡＢＳ樹脂やポリエチレン樹脂、ポリプロピレン樹脂、ポリメタクリル酸メチル樹脂等の合成樹脂で成形されている。
【００６９】
図１９は、本実施形態の変形例を示しており、上記枠部材１１０を省略し、ハンガーバー装置を構成する支持材の下端部１４３を挿着状態で保持する保持部１２５が容器本体２の開口端内面側の対向する壁面に設けられている。
【図面の簡単な説明】
【００７０】
【図１】本発明の第１実施形態に係る衣料収納容器の全体構成を示す斜視図。
【図２】同じく正面図。
【図３】同じく平面図。
【図４】同じく衣料収納容器の要部を示す部分断面図。
【図５】蓋体の全体構成を示す斜視図。
【図６】同じく蓋体の要部を示す部分斜視図。
【図７】斜めにずれた位置にハンガーを取り付けた様子を示す平面図。
【図８】蓋体の変形例の要部を示す部分断面図。
【図９】本発明に係る衣類収納方法を示す説明図。
【図１０】容器本体を上下に複数重ねた様子を示す断面図。
【図１１】カバー部材を設けた変形例の要部を示す部分斜視図。
【図１２】掛止部材の他の例を示す部分断面図。
【図１３】同じく掛止部材を取り付ける様子を示す説明図。
【図１４】衣類収納方法の変形例を示す説明図。
【図１５】本発明の第２実施形態に係る衣料収納容器を示す分解斜視図。
【図１６】同じく衣類収納容器の断面図。
【図１７】同じく要部を示す断面図であり、左側が組み付け前、右側が組み付け後の図。
【図１８】同じく全体斜視図。
【図１９】衣類収納容器の変形例を示す分解斜視図。
【符号の説明】
【００７１】
１  衣類収納容器
２  容器本体
３  蓋体
４  ハンガーバー
５  掛止部材
６  弾性部材
７  カバー部材
８  支持装置
９  衣類
２０  開口部
２０ａ  外周面
２０ｂ  内周面
２０ｃ  開口端
２０ｄ  外面
２１  側板
２１Ａ  被着壁
２２  底板
２３  補強リブ
２３ｄ  下端
２４  蟻溝
３０  天板
３０ａ天板周縁部
３１  裾板
３１ａ  外面
３２  裾板
３３  凹状空所
３４  パッキング
３５  蟻溝
３６  凹陥部
３７  掛止杆
４０  バー本体
４１  フック
４２  棒状突起
４３  係止部
５０  係合突部
５１  突条片
５２  突条片
７０  内周面
７１  長孔
７２  膨出溝部
７３  スペーサ部材
８０  支持棒
８１  フック
８２  ワイヤー
８３  フック
９０  ハンガー
１１０  中間体
１１０  枠部材
１１１  裾板
１１３  凹状空所
１１５  支持孔
１１６  凹状空所
１２０  開口端
１２５  保持部
１３０  蓋材
１３１  天板
１３２  側板
１３４  下端部
１３５  部
１３６  係合部
１３７  切欠部
１４０  ハンガーバー装置
１４１  支持材
１４２  上端
１４３  下端部
１５２  パッキング
１６０  掛止部材
ｄ  離間距離
Ｓ  内部空間
【図１】
2005169059.tif 000003
【図２】
2005169059.tif 000004
【図３】
2005169059.tif 000005
【図４】
2005169059.tif 000006
【図５】
2005169059.tif 000007
【図６】
2005169059.tif 000008
【図７】
2005169059.tif 000009
【図８】
2005169059.tif 000010
【図９】
2005169059.tif 000011
【図１０】
2005169059.tif 000012
【図１１】
2005169059.tif 000013
【図１２】
2005169059.tif 000014
【図１３】
2005169059.tif 000015
【図１４】
2005169059.tif 000016
【図１５】
2005169059.tif 000017
【図１６】
2005169059.tif 000018
【図１７】
2005169059.tif 000019
【図１８】
2005169059.tif 000020
【図１９】
2005169059.tif 000021